(57)【要約】      （修正有）【課題】楊枝を１本ずつ容易に取り出すことができる楊枝取出容器を提供する。【解決手段】１本の楊枝Ｐを小袋Ｑにて包装した包装楊枝Ｒを、左右水平姿勢で多数本収納可能な全体が直方体状の楊枝取出容器である。前面の上半部に、前壁部１が配設され、前壁部１の下側に、矩形窓部３を開設する。窓部３を開閉自在な開閉蓋体４を有する。開閉蓋体４は、窓部３の上下高さ寸法よりも大きい上下高さ寸法を有する前板部と、前板部の左右各側端縁６から後方へ折曲げた扇型側板部７とを、有する。前板部の下端縁部８と底壁部の前端縁部１０とが折曲角度可変に連設され、下端縁部と前端縁部とが交わる稜線Ｌ廻りに開閉蓋体が前方へ揺動して開口するように構成する。【選択図】図２
2020058698.tif 000002
【特許請求の範囲】
【請求項１】
１本の楊枝(Ｐ)を小袋（Ｑ）にて包装した包装楊枝（Ｒ）を、左右水平姿勢で多数本収納可能な全体が直方体状の楊枝取出容器であって、
前面の上半部に、前壁部（１）が配設され、該前壁部（１）の下側に、矩形窓部（３）を開設し、かつ、上記窓部（３）を開閉自在な開閉蓋体（４）を有し、
上記開閉蓋体（４）は、上記窓部（３）の上下高さ寸法（Ｈ3 ）よりも大きい上下高さ寸法（Ｈ5 ）を有する前板部（５）と、該前板部（５）の左右各側端縁（６）から後方へ折曲げた扇型側板部（７）とを、有し、
上記前板部（５）の下端縁部（８）と底壁部（９）の前端縁部（10）とが折曲角度可変に連設され、上記下端縁部（８）と前端縁部（10）とが交わる稜線（Ｌ）廻りに上記開閉蓋体（４）が前方へ揺動して開口するように構成したことを特徴とする楊枝取出容器。
【請求項２】
上記開閉蓋体（４）の所定揺動角度（θ）で、上記前壁部（１）の裏面（12）の左右端（13）に当接する開き角度規制突片部（14）を、上記扇型側板部（７）が有する請求項１記載の楊枝取出容器。
【発明の詳細な説明】
【技術分野】
【０００１】
本発明は、楊枝取出容器に関する。
【背景技術】
【０００２】
一般に、楊枝を収納する場合、有底円筒状の楊枝取出容器（楊枝入れ）に楊枝を多数本立てて収納する（例えば、特許文献１参照）。
【先行技術文献】
【特許文献】
【０００３】
【特許文献１】特許第５２４３６６７号公報
【発明の概要】
【発明が解決しようとする課題】
【０００４】
しかし、特許文献１記載の楊枝取出容器は、楊枝を取り出す際、隣合う楊枝どうしが摩擦により浮き上がり、１本だけを取り出しにくいという問題がある。そこで、本発明は、楊枝を１本ずつ容易に取り出すことができる楊枝取出容器を提供することを目的とする。
【課題を解決するための手段】
【０００５】
そこで、本発明に係る楊枝取出容器は、１本の楊枝を小袋にて包装した包装楊枝を、左右水平姿勢で多数本収納可能な全体が直方体状の楊枝取出容器であって、前面の上半部に、前壁部が配設され、該前壁部の下側に、矩形窓部を開設し、かつ、上記窓部を開閉自在な開閉蓋体を有し、上記開閉蓋体は、上記窓部の上下高さ寸法よりも大きい上下高さ寸法を有する前板部と、該前板部の左右各側端縁から後方へ折曲げた扇型側板部とを、有し、上記前板部の下端縁部と底壁部の前端縁部とが折曲角度可変に連設され、上記下端縁部と前端縁部とが交わる稜線廻りに上記開閉蓋体が前方へ揺動して開口するように構成したものである。
【０００６】
また、上記開閉蓋体の所定揺動角度で、上記前壁部の裏面の左右端に当接する開き角度規制突片部を、上記扇型側板部が有するものである。
【発明の効果】
【０００７】
本発明の楊枝取出容器によれば、楊枝を１本ずつ容易に取り出すことができる。
【図面の簡単な説明】
【０００８】
【図１】本発明の実施の一形態を示す斜視図である。
【図２】使用状態を示す斜視図である。
【図３】要部拡大簡略断面図である。
【図４】作用説明要部拡大簡略断面図である。
【図５】図１の要部縦断端面図である
【図６】作用説明端面図である。
【発明を実施するための形態】
【０００９】
以下、図示の実施の形態に基づいて本発明を詳説する。
図１・図２は、本発明の実施の一形態を示す。この楊枝取出容器は、紙又は樹脂から成る。１本の楊枝Ｐを小袋Ｑにて包装した包装楊枝Ｒを、左右水平姿勢で多数本収納可能な全体が直方体状の楊枝取出容器であって、前面の上半部に、前壁部１が配設される。本発明に於て、「上半部」とは、上側の範囲であって、上下高さ寸法が、全体の30％以上70％以下の範囲であるとする。前壁部１の下側に、矩形窓部３が開設される。窓部３を開閉自在な開閉蓋体４を有する。
【００１０】
開閉蓋体４は、窓部３の上下高さ寸法Ｈ3 よりも大きい上下高さ寸法Ｈ5 を有する前板部５と、前板部５の左右各側端縁６から後方へ折曲げた扇型側板部７とを、有する。前板部５の下端縁部８と底壁部９（図３〜図６参照）の前端縁部10とが折曲角度可変として交わる稜線Ｌ廻りに開閉蓋体４が揺動して開口するように構成する。
【００１１】
図３・図４に示すように、前板部５の上縁11を指で摘んで開閉蓋体４を手前（図３の矢印Ｙ方向）へ引倒すと、開閉蓋体４の所定揺動角度θで、前壁部１の裏面12の左右端13に当接する開き角度規制突片部14を、扇型側板部７が有する。そして、開閉蓋体４は、鉛直状態（図１・図３参照）と、開き角度規制突片部14が前壁部１の裏面12の左右端13に当接する最大引倒状態（図２・図４参照）との間で、揺動自在である。
【００１２】
所定揺動角度θを、30°≦θ≦60°に設定する。所定揺動角度θが上記範囲にある場合、開閉蓋体４を開いた際等に包装楊枝Ｒがこぼれることを防止できるとともに、包装楊枝Ｒ（楊枝Ｐ）を容易に取出すことができる。所定揺動角度θが、θ＜30°の場合、開口部Ｓが小さく（狭く）包装楊枝Ｒを取出しにくい。所定揺動角度θが、60°＜θの場合、開閉蓋体４を開いた際、又は、包装楊枝Ｒを取出す際等に、（他の）包装楊枝Ｒがこぼれやすくなる。
【００１３】
図５・図６に示すように、包装楊枝Ｒを投入（補充）するための上方開口部15と、上方開口部15を開閉自在な上蓋16を有する。
【００１４】
なお、本発明の楊枝取出容器を、１枚の紙を折畳むとともに所定面を貼合して形成するも好ましい。この場合、所定期間の使用後、廃棄するのが容易である。
【００１５】
本発明は、設計変更可能であって、例えば、開き角度規制突片部14を省略するも良い。また、面状ファスナーにより、開閉蓋体４の閉状態を保持する構成とするも良い。また、前壁部１に切れ目を形成し、開閉蓋体４の前板部５に、上記切れ目に差込む係止突片を設けて、開閉蓋体４の閉状態を保持する構成とするも良い。また、前板部５の上縁部近傍に、開閉蓋体４を容易に開くための、摘み突片を設けるも好ましい。
【００１６】
以上のように、本発明は、１本の楊枝Ｐを小袋Ｑにて包装した包装楊枝Ｒを、左右水平姿勢で多数本収納可能な全体が直方体状の楊枝取出容器であって、前面の上半部に、前壁部１が配設され、該前壁部１の下側に、矩形窓部３を開設し、かつ、上記窓部３を開閉自在な開閉蓋体４を有し、上記開閉蓋体４は、上記窓部３の上下高さ寸法Ｈ3 よりも大きい上下高さ寸法Ｈ5 を有する前板部５と、該前板部５の左右各側端縁６から後方へ折曲げた扇型側板部７とを、有し、上記前板部５の下端縁部８と底壁部９の前端縁部10とが折曲角度可変に連設され、上記下端縁部８と前端縁部10とが交わる稜線Ｌ廻りに上記開閉蓋体４が前方へ揺動して開口するように構成したので、（前板部５の上縁11を指で摘んで）開閉蓋体４を容易に開閉することができ、開閉蓋体４が前方へ引倒状態で、手前上方へ開口するので、楊枝Ｐ（包装楊枝Ｒ）を１本ずつ指で摘み易く、容易に取り出すことができる。また、包装楊枝Ｒどうしの摩擦により、（楊枝Ｐ単体を複数収納する場合と異なり、）積み重なった包装楊枝Ｒが崩れにくく、開口受け部に適数本が露出状に溜まり、包装楊枝Ｒを指で摘み易い。
【００１７】
また、上記開閉蓋体４の所定揺動角度θで、上記前壁部１の裏面12の左右端13に当接する開き角度規制突片部14を、上記扇型側板部７が有するので、開閉蓋体４が過度に開くことを防止することができ、余分な楊枝Ｐ（包装楊枝Ｒ）が不意に前方へこぼれ出てくるのを防止できる。また、開閉蓋体４が適度に開いて、指で容易に楊枝Ｐ（包装楊枝Ｒ）を取出すことができる。
【符号の説明】
【００１８】
１  前壁部
３  （矩形）窓部
４  開閉蓋体
５  前板部
６  左右各側端縁
７  扇型側板部
８  下端縁部
９  底壁部
10  前端縁部
12  裏面
13  左右端
14  開き角度規制突片部
Ｈ3   上下高さ寸法
Ｈ5   上下高さ寸法
Ｌ  稜線
Ｐ  楊枝
Ｑ  小袋
Ｒ  包装楊枝
θ  所定揺動角度
【図１】
2020058698.tif 000003
【図２】
2020058698.tif 000004
【図３】
2020058698.tif 000005
【図４】
2020058698.tif 000006
【図５】
2020058698.tif 000007
【図６】
2020058698.tif 000008